(57)【特許請求の範囲】
【請求項１】
変調信号を増幅し出力する増幅部と、
該増幅部の出力電力を検出するために、該増幅部の出力のうち閾値以上の電圧信号を検波する検波部と、検波した該電圧信号から一定周波数以上の成分を除去するフィルタ部とを有する検出部と、
該検出部の出力に基づいて、該増幅部の出力電力を変更する出力電力変更部と、
通信方式毎に該検出部の入力インピーダンスを制御するために、該検出部に入力される該電圧信号の周波数が高いほど、該検波部に入力される電流量を大きくする位置に配置された第１の可変コンデンサと、該検出部に入力される該電圧信号の周波数が高いほど、該フィルタ部に入力される電流量を小さくする位置に配置された第２の可変コンデンサとを有する制御部と、
該通信方式毎に、該入力インピーダンスの設定値として該第１の可変コンデンサ及び該第２の可変コンデンサの容量値をそれぞれ記憶する記憶部とを有し、
該制御部は、選択された通信方式に応じて、該記憶部から読み出した該第１および該第２の可変コンデンサの容量値となるよう、該第１及び第２のコンデンサの容量を変更する事により、該検出部の入力インピーダンスの調整を行なう
ことを特徴とする送信装置。
【請求項２】
該制御部は、
該検出部の出力電圧をあらかじめ設定された目標値と比較し、
該検出部の出力電圧値が該目標値となるまで該増幅部から出力が大きくなるように、該出力電力変更部を設定することを特徴とする、請求項１に記載の送信装置。
【請求項３】
変調信号を増幅し出力する増幅部と、該増幅部の出力電力を検出する検出部と、該検出部の出力に基づいて、該増幅部の出力電力の強度を変更する出力電力変更部と、通信方式毎に該検出部の入力インピーダンスを制御するために、該検出部に入力される該電圧信号の周波数が高いほど、該検波部に入力される電流量を大きくする位置に配置された第１の可変コンデンサと、該検出部に入力される該電圧信号の周波数が高いほど、該フィルタ部に入力される電流量を小さくする位置に配置された第２の可変コンデンサを有する制御部を有する送信装置の出力電力調整方法であって、
通信方式毎に、該検出部の入力インピーダンスの設定値として該第１の可変コンデンサ及び該第２の可変コンデンサの容量値を記憶部に記録し、
選択された通信方式に応じて、該記憶部から該通信方式に対応する入力インピーダンスの設定値として該第１および該第２の可変コンデンサの容量値を読み出し、
読み出した該設定値に基づき該第１及び第２のコンデンサの容量を変更する事により、該検出部の入力インピーダンスを調整する
ことを特徴とする増幅度調整方法。
【発明の詳細な説明】
【技術分野】
【０００１】
本発明は、変調信号を増幅し無線送信する送信装置に関する。
【背景技術】
【０００２】
移動体端末に搭載される送信装置は変調信号を増幅し無線送信する。通信方式によっては、送信装置は送信電力を適宜変化させている。
【０００３】
送信装置は、変調信号を増幅する増幅部および増幅部の出力電力を検出するレベル検出部を有する。また送信装置は、レベル検出部の出力に応じて増幅部の出力電力を制御する制御部を有する。制御部はレベル検出部の出力に基づいて、増幅部に入力する変調信号の強度を調整する。
【０００４】
近年、通信方式が多様化し、複数の通信方式・周波数帯の送信を行う送信装置が登場してきた。レベル検出部は増幅部の出力を整流検波するダイオードと整流検波した波形の高周波成分を除去するフィルタなどで形成されることが多い。このため、レベル検出部の入力に対応するインピーダンスである入力インピーダンスは周波数特性を有する。よって、レベル検出部の検出対象である増幅部の出力電力値が同じでも、周波数帯が異なると、レベル検出部の出力は異なる値となる。
【０００５】
特許文献１および特許文献２には、通信方式が切り替わった場合の、レベル検出部の出力を調整する技術が開示されている。
【先行技術文献】
【特許文献】
【０００６】
【特許文献１】特開２００７−２６６７５８号公報
【特許文献２】特開２０００−３４１１４２号公報
【発明の概要】
【発明が解決しようとする課題】
【０００７】
上述した送信装置では、増幅部の出力電力とレベル検出部の出力との対応関係を通信方式毎に記憶しておき、記憶した内容を基に、信出力と周波数帯毎のレベル検出部の出力との対応を取ることが考えられる。
【０００８】
しかしながら、送信装置は増幅部の個体差を有しており、上記の方式を採用する場合、送信装置は工場出荷時において、個別に送信出力とレベル検出部の出力との対応関係を計測し、その値を逐一記憶する作業を要する。特に、上述したような複数の通信方式に対応した送信装置の場合、通信方式ごとに、想定される送信出力の範囲内での送信出力とレベル検出部との対応関係の計測結果を記憶部へ記憶させていくこととなり、作業工数が多い。
【０００９】
本技術では、複数の通信方式に対応可能な送信装置であっても、出荷時の出力電力の調整を簡略化することが可能な送信装置を提供することを目的とする。
【課題を解決するための手段】
【００１０】
上記課題を解決するため、送信装置は、変調信号を増幅し出力する増幅部と、該増幅部の出力電力を検出する検出部と、該検出部の出力に基づいて、該増幅部の出力電力を変更する出力電力変更部と、通信方式毎に該検出部の入力インピーダンスを制御する制御部とを有する。
【発明の効果】
【００１１】
実施形態によれば、複数の通信方式に対応可能であっても、出荷時の出力電力の調整を簡略化することが可能な送信装置を提供することが出来る。
【図面の簡単な説明】
【００１２】
【図１】本実施例にかかる送信装置を含む試験システムのブロック図である。
【図２】レベル検出部の詳細ブロック図である。
【図３】調整部が有するコンデンサのブロック図である。
【図４】調整部の回路パラメータを示すパラメータテーブル図である。
【図５】Ａは増幅部の出力電力とレベル検出部の出力電圧との関係図である。Ｂはレベル検出部の出力電圧値を増幅部の出力電力値に変換するための変換テーブル図である。
【図６】Ａは１つ目の通信方式における試験装置の試験処理フロー図である。Ｂは２つ目以降の通信方式における試験装置の試験処理フロー図である。
【図７】試験装置のブロック図である。
【発明を実施するための形態】
【００１３】
以下、本実施の形態について説明する。なお、各実施形態における構成の組み合わせも本発明の実施形態に含まれる。
【００１４】
図１は出荷時において送信装置１の出力電力を試験する試験システムのブロック図である。試験システムは、試験対象である送信装置１、テスタ８６、試験装置８５を有する。
【００１５】
送信装置１はＢＢ（Ｂａｓｅ  Ｂａｎｄ）処理部９０、ＲＦ（Ｒａｄｉｏ  Ｆｒｅｑｕｅｎｃｙ）処理部２、ＰＡ（Ｐｏｗｅｒ  Ａｍｐｌｉｆｅｒ）モジュール３、フィルタ４、５、６、スイッチ７、アンテナ８を有する。ＢＢ処理部９０は送信データを選択された通信方式に応じてデジタル処理し、ＲＦ処理部２へ出力する。ＲＦ処理部２は、ＢＢ処理部から出力されたデジタル信号を通信方式に応じて選択された周波数で変調処理すると共に、信号強度を調整した変調信号をＰＡモジュール３へ出力する。ＰＡモジュール３はＲＦ処理部２から出力された変調信号を増幅する。ＰＡモジュールから出力された変調信号は、フィルタ４、５、６によりノイズ除去される。フィルタ４，５，６のいずれかの出力は、スイッチ７によりアンテナ８に接続される。アンテナ８は変調信号を出力する。
【００１６】
ＢＢ処理部９０は、ＩＦ（ＩｎｔｅｒＦａｃｅ）８７、演算部８８、メモリ８９を有する。ＩＦ８７は試験装置８５から入力された試験結果を演算部８８へ出力する。演算部８８は入力された試験結果をメモリ８９に書き込む。演算部８８は選択された通信方式に応じて信号処理したデジタル信号および送信装置１の動作設定を行う信号をＲＦ処理部２へ出力する。
【００１７】
ＲＦ処理部２は、ＭＵＸ（Ｍｕｌｔｉｐｒｅｘｅｒ）８０、デジタルアンプ８１、ＤＡＣ（Ｄｉｇｉｔａｌ  Ａｎａｌｏｇ  Ｃｏｎｖｅｒｔｏｒ）８２、周波数コンバータ８３、スイッチ８４、制御部１０、記憶部１１、ＶＧＡ（Ｖｏｌｔａｇｅ  Ｇａｉｎ  Ａｍｐｌｉｆｉｅｒ）１２、１３、１４を有する。またＰＡモジュール３は、増幅部１７、１８、１９、方向性結合部２０、２１、２２、レベル検出部１５を有する。
【００１８】
ＭＵＸ８０は演算部８８から出力されたシリアル信号をパラレル信号に変換する。変換後のパラレル信号は、記憶部１１に書き込まれるテーブル情報、ＰＡモジュール３の動作を設定するＰＡ設定信号、送信装置１の出力電力を設定する電力設定信号、通信方式に応じた通信方式を選択する選択信号、および送信対象であるＩ／Ｑ信号を有する。
【００１９】
演算部８８から出力されたテーブル情報は、ＭＵＸ８０を介して記憶部１１に入力される。演算部８８から出力されたＰＡ設定信号は、ＭＵＸ８０を介して制御部１０に入力される。演算部８８から出力された電力設定信号は、ＭＵＸ８０を介して制御部１０およびデジタルアンプ８１に入力される。演算部８８から出力された選択信号は、ＭＵＸ８０を介して周波数コンバータ８３、スイッチ８４、制御部１０に入力される。演算部８８から出力されたＩ／Ｑ信号は、ＭＵＸ８０を介してデジタルアンプ８１に入力される。
【００２０】
デジタルアンプ８１は、電力設定信号に応じてＩ／Ｑ信号の振幅を増幅する。ＤＡＣ８２はデジタルアンプ８１から出力されたＩ／Ｑ信号をアナログ信号に変換する。周波数コンバータ８３は、選択信号に基づいて周波数を選択する。周波数コンバータ８０は、選択された周波数に基づいてＩ／Ｑ信号をミキシングし、変調信号を出力する。スイッチ８４は、電力設定信号に基づいて、ＶＧＡ１２、１３、１４のいずれかに変調信号の出力先を切り替える。
【００２１】
ＶＧＡ１２、１３、１４は、演算部８８の指示に基づき、ＰＡモジュール３へ出力する変調信号の出力電力を変更する出力電力変更部である。本実施例において、ＶＧＡ１２は８００ＭＨｚ帯の変調信号の出力電力を変更する為の出力電力変更部である。ＶＧＡ１３は２ＧＨｚ帯の変調信号の出力電力を変更する為の出力電力変更部である。ＶＧＡ１４は２．５ＧＨｚ帯の変調信号の出力電力を変更する為の出力電力変更部である。
【００２２】
制御部１０はＰＡ制御部１０Ａおよび電力制御部１０Ｂを有する。ＰＡ制御部１０Ａは、ＭＵＸ８０から出力されたＰＡ設定信号に応じて、ＰＡモジュール３の動作制御を行う。電力制御部１０Ｂは、演算部８８から出力され、ＭＵＸ８０を経由して入力された電力設定信号に応じて、ＶＧＡ１２、１３、１４が出力する変調信号の強度変更を行う。
【００２３】
ＰＡ制御部１０Ａは、演算部８８から出力され、ＭＵＸ８０を経由して入力されたＰＡ設定信号に基づいて、増幅部の出力電力が同一の場合にレベル検出部１５の出力電圧の値が同一になるように、レベル検出部１５の回路パラメータを通信方式ごとに調整する。入力インピーダンスを通信方式ごとに調整することにより、通信方式に関わらず、レベル検出部１５から出力される電圧値を同一にすることが出来る。
【００２４】
電力制御部１０Ｂは、記憶部１１に記憶された変換テーブル６０に基づいて、レベル検出部１５から出力された電圧値を増幅部の出力電力に変換する。電力制御部１０Ｂは、演算部８８から出力され、ＭＵＸ８０を経由して入力された電力設定信号に基づく電力設定値と、変換処理により求めた増幅部の出力電力値とを比較する。電力制御部１０Ｂは変換処理により求めた増幅部の出力電力値が電力設定値となるように、ＶＧＡ１２、１３、１４から出力される変調信号の強度を調整する制御信号を出力する。増幅部の出力電力値とは、出力電力のピーク値を指す。なお出力電力値は出力電力の平均値であってもよい。以上のフィードバック処理を繰り返すことにより送信装置１は、設定された電力を増幅部から出力させることが出来る。
【００２５】
なお、変換テーブル６０に基づいて、演算部８８から出力され、ＭＵＸ８０を経由して入力された電力設定信号に基づく電力設定値をあらかじめ電圧値に変換してもよい。これにより、レベル検出部１５の出力電圧値を逐次増幅部の出力電力値に変換すること無く設定値と比較することが可能となる。
【００２６】
記憶部１１はパラメータテーブル５０および変換テーブル６０を記憶する。パラメータテーブル５０は、通信方式ごとにレベル検出部１５に設定する入力インピーダンスの設定値を記憶している。パラメータテーブル５０に記憶されている入力インピーダンスの設定値は、あらかじめシミュレーション等により算出される。変換テーブル６０は、レベル検出部１５から出力された電圧値から増幅部の出力電力値への変換値を有する。移動体端末の電源投入時において、演算部８８はメモリ８９に記憶した情報を読み出し、記憶部１１に記憶する情報に上書きする。
【００２７】
増幅部１７はＶＧＡ１２から出力された変調信号を増幅する。増幅部１８はＶＧＡ１３から出力された変調信号を増幅する。増幅部１９はＶＧＡ１４から出力された変調信号を増幅する。増幅部１７、１８、１９は、ＰＡ制御部１０Ａから出力される制御信号に応じて、いずれかの出力を有効にする。
【００２８】
方向性結合部２０、２１、２２は増幅部１７、１８、１９の出力の一部をレベル検出部１５へ出力する。方向性結合部２０、２１，２２は増幅部１７，１８，１９の出力に接続される主線部と、主線部に電気的に結合する副線部を有する。方向性結合部２０の主線部は増幅部１７に接続されている。方向性結合部２１の主線部は増幅部１８に接続されている。方向性結合部２２の主線部は増幅部１９に接続されている。方向性結合部２０、２１、２２の副線部の一方はレベル検出部１５に接続されている。方向性結合部２０、２１、２２の副線部の他方は整合終端されている。
【００２９】
レベル検出部１５は、方向性結合部２０、２１、２２の副線部の出力に基づいて、電力制御部１０Ｂに電圧出力する。レベル検出部１５はＰＡ制御部１０Ａから出力される制御信号に応じて、入力インピーダンスを調整する。
【００３０】
フィルタ４、５、６は方向性結合部２０、２１、２２を介して出力された増幅部１７，１８，１９からの、それぞれの変調信号の周波数帯に対応したバンドパスフィルタであり、変調信号の周波数帯以外の周波数成分を除去する。
【００３１】
スイッチ７はフィルタ４、５、６から出力された変調信号のうち１つを選択し、アンテナ８へ出力する。スイッチ７の切り替えは、ＰＡ制御部１０Ａから出力された制御信号に基づいて行う。
【００３２】
アンテナ８は複数の通信方式に対応したマルチバンドアンテナである。なお、アンテナ８はこれに限らず、各通信方式に対応した複数のアンテナを各々のフィルタの出力側に接続する方式であっても良い。この場合、アンテナ８とフィルタ４、５、６との接続関係を切り替えるスイッチ７は不要となる。
【００３３】
テスタ８６はアンテナ８に入力される電力を測定すると共に、測定結果を試験装置８５へ出力する。試験装置８５はテスタ８６の設定を行うと共に、テスタ８６から出力された電力の測定結果を送信装置１へ出力する。試験装置８５およびテスタ８６は出荷試験時において送信装置１に接続される。出荷試験後、試験装置８５およびテスタ８６は送信装置１から取り外される。
【００３４】
以上の通り送信装置１の試験は、試験装置８５により送信装置１の試験条件を設定し、その応答をテスタ８６で測定することにより行う。
【００３５】
なお、本実施例では複数のＶＧＡよび複数の増幅部を用いて複数の通信方式に対応する送信装置を構成しているが、複数の通信方式に対応する単一のＶＧＡおよび単一の増幅部で送信装置を構成しても良い。この場合、増幅部の出力にスイッチを設け、選択した通信方式に応じて接続先のフィルタを切り替えるようにする。以上の構成により、送信装置１は増幅部の実装面積を小さくすることが出来る。
【００３６】
レベル検出部１５はＰＡモジュール３の一部として実装される。レベル検出部１５をＰＡモジュール３の一部としてモジュール化することにより、送信装置１を小型化することが出来る。なおレベル検出部１５をディスクリート部品として実装してもよい。レベル検出部１５をＰＡモジュール３と分離して実装することにより、ＰＡモジュールの動作に伴う電源ノイズがレベル検出部１５のレベル検出に与える影響を回避することが出来る。
【００３７】
図２はレベル検出部１５の詳細ブロック図である。レベル検出部１５は、調整部１６、検出部２３を有する。調整部１６はレベル検出部１５の入力インピーダンスを調整する。調整部１６は制御部１１の一部である。調整部１６は外部から容量値の変更が可能な可変コンデンサＣ２、Ｃ３を有する。検出部２３は、抵抗Ｒ１、Ｒ２、ダイオード３０、ＬＰＦ（Ｌｏｗ  Ｐａｓｓ  Ｆｉｌｔｅｒ）３１、抵抗Ｒ４を有する。
【００３８】
可変コンデンサＣ２はレベル検出部１５に入力される信号の周波数に応じてダイオード３０に入力される電流量を変える。信号の周波数が高いほど、検出部２３に入力される電流量は大きくなる。可変コンデンサＣ３は、ダイオード３０から出力され、ＬＰＦ３１に入力される電流量を変える。信号の周波数が高いほど、ＬＰＦ３１に入力される電流量は小さくなる。可変コンデンサＣ２と可変コンデンサＣ３との容量値の組み合わせを調整することにより、ＬＰＦ３１に入力される電流量を調整することが出来る。
【００３９】
抵抗Ｒ１、Ｒ２はポート７５に印加されたオフセット電圧を分圧する。電圧信号の基準電圧値はオフセット電圧の分圧値となる。基準電圧値はダイオード３０の順方向電圧の閾値を考慮して決定する。
【００４０】
ダイオード３０は入力された電圧信号のうち、ダイオード３０の順方向電圧の閾値を超える電圧信号を検波する検波部である。
【００４１】
ＬＰＦ３１はダイオード３０の出力からカットオフ周波数を超える信号成分を除去する。ＬＰＦ３１は抵抗Ｒ３、コンデンサＣ１を有する。ＬＰＦ３１のカットオフ周波数は抵抗Ｒ３およびコンデンサＣ１の値により決定する。
【００４２】
抵抗Ｒ４はコンデンサＣ１に並列に接続されている。ＬＰＦ３１から出力される電流が抵抗Ｒ４に流れることによる電圧が検出部２３の出力となる。
【００４３】
電力制御部１０Ｂは選択された通信方式に応じて、パラメータテーブル５０から可変コンデンサＣ２、Ｃ３の設定値を読み出す。電力制御部１０Ｂは読み出した設定値をＰＡ制御部１０Ａへ出力する。ＰＡ制御部１０ＡはＭＵＸ８０から出力された設定値を調整部１６へ出力する。可変コンデンサＣ２、Ｃ３の容量値は、ＰＡ制御部１０Ａから出力された設定値に応じて変化する。
【００４４】
調整部１６における可変コンデンサＣ２、Ｃ３の容量値を調整することにより、抵抗Ｒ４に流れる電流値も変化する。よってＰＡ制御部１０Ａは、通信方式に応じて可変コンデンサＣ２、Ｃ３の容量値を調整することにより、検出部２３の出力電圧値を調整することが出来る。
【００４５】
図３は調整部１６における可変コンデンサＣ２のブロック図である。調整部１６における可変コンデンサＣ２と可変コンデンサＣ３は同一構成および同一機能を有する。よって本実施例では可変コンデンサＣ２について説明し、可変コンデンサＣ３の説明を省略する。
【００４６】
可変コンデンサＣ２はＰＡ制御部１０Ａから出力される制御信号に応じて容量値を変える。可変コンデンサＣ２はスイッチＳＷ１〜ＳＷｎ、コンデンサＣＰ１〜ＣＰｎ、ＩＦ（Ｉｎｔｅｒｆａｃｅ）４１を有する。スイッチＳＷｎ、コンデンサＣＰｎはそれぞれ並列に接続されている。スイッチＳＷｎとコンデンサＣＰｎはそれぞれ直列に接続されている。スイッチＳＷｎはＩＦ４１から出力される切替信号によりオンオフを切り替える。可変コンデンサＣ２の容量値は、オンしているスイッチＳＷｎに直列接続されたコンデンサＣＰｎの合計容量値に等しい。よってそれぞれのスイッチＳＷｎを必要に応じてオンオフすることにより、可変コンデンサＣ２の容量値を要求された容量値とすることが出来る。可変コンデンサＣ２の容量値に対応する制御信号の値は、通信方式毎にパラメータテーブル５０に記憶されている。
【００４７】
ＩＦ４１は制御部１０から出力された制御信号に応じて各スイッチＳＷｎに切替信号を出力する。ＩＦ４１に適用するＩＦ規格は、制御信号を出力する制御部１０の出力インターフェース規格に合わせる。ＩＦ規格は例えばＳＰＩ（Ｓｅｒｉａｌ  Ｐｅｒｉｆｅｒａｌ  Ｉｎｔｅｒｆａｃｅ）である。ＩＦ４１は入力されたクロック信号ＣＬＫに基づいて、制御信号の値を読み取る。ＩＦ４１はスイッチＳＷｎの制御を有効にするイネーブル信号ＥＮが入力された場合、各スイッチＳＷｎへ出力する切替信号を有効にする。ＩＦ４１はスイッチＳＷｎの制御を無効にするイネーブル信号ＥＮが入力された場合、各スイッチＳＷｎをすべてオフにする切替信号を出力する。
【００４８】
以上の通り、外部からの制御信号により容量値の設定が可能な可変コンデンサＣ２、Ｃ３を調整部１６に用いることにより、レベル検出部１５の入力インピーダンス調整を実現することが出来る。
【００４９】
図４はレベル検出部１５の入力インピーダンスの決定に用いるパラメータテーブル図である。パラメータテーブル５０は記憶部１１に記憶されている。前述の通り、パラメータテーブル５０は通信方式の選択時に読み出される。パラメータテーブル５０は各通信方式における可変コンデンサＣ２、Ｃ３の設定値を有する。パラメータテーブル５０に示す可変コンデンサＣ２、Ｃ３の容量値は、回路シミュレーションまたは実験により、あらかじめ求める。回路シミュレーションにおける信号の周波数は、各通信方式における周波数帯の中心周波数である。
【００５０】
行５６、５７、５８はそれぞれ、各通信方式の周波数帯がそれぞれ８００ＭＨｚ帯、２ＧＨｚ帯、２．５ＧＨｚ帯の場合に、調整部１６に設定すべき可変コンデンサＣ２、Ｃ３の容量値である。列５２、５３はそれぞれ、各通信方式における可変コンデンサＣ２、Ｃ３の容量値である。列５９は、８００ＭＨｚ帯での送信装置１の出力電力とレベル検出部１５の出力電圧との関係を示すグラフに対する、２ＧＨｚ帯、２．５ＧＨｚ帯のグラフの補正値である。通信方式毎にレベル検出部１５の入力インピーダンスを調整することにより、送信装置１の出力電力とレベル検出部１５の出力電圧との関係を示すグラフは傾きが同じになるが、切片が異なる場合がある。出荷試験時において切片を調整することにより、通信方式毎のグラフを一致させることが出来る。送信装置１の動作時において電力制御部１０Ｂは、列５９の補正値に基づいてＶＧＡ１２，１３，１４の強度の調整を行う。
【００５１】
列５４、５５は、変換テーブル６０の一部である。列５４、５５は、各増幅部１７、１８、１９の出力電力値とレベル検出部１５の出力電圧値との関係を示す。すなわち列５４、５５は、調整部１６の可変コンデンサＣ２、Ｃ３を設定後、レベル検出部１５から出力される電圧値がそれぞれ１．５Ｖ、１．２６Ｖだった場合に、増幅部１７、１８、１９の出力電力値がそれぞれ２６．５ｄＢｍ、１５ｄＢｍであることを示す。
【００５２】
一例として、行５６に示すパラメータを用いて調整部１６の回路パラメータを設定する手順を説明する。まずＰＡ制御部１０Ａから出力された制御信号に基づいて、８００ＭＨｚ帯の変調信号の増幅に対応した増幅部１７が選択される。増幅部１７の出力電力値を検出するため、ＰＡ制御部１０Ａは調整部１６の可変コンデンサＣ２、Ｃ３の容量値をそれぞれ１．５ｐＦ、０．４５ｐＦに設定する。
【００５３】
容量値を設定後、レベル検出部１５の出力電圧値が１．５Ｖであるとする。この場合電力制御部１０Ｂは変換テーブル６０に基づいて、レベル検出部１５の出力電圧値１．５Ｖを増幅部１７の出力電力値２６．５ｄＢｍに変換する。またレベル検出部１５の出力電圧値が１．２６Ｖである場合、電力制御部１０Ｂは変換テーブル６０に基づいて、出力電圧値１．２６Ｖを増幅部１７の出力電力値１５ｄＢｍに変換する。以上の通り選択された通信方式に応じて調整部１６の回路パラメータを設定することにより、電力制御部１０Ｂは通信方式に関わらず、同一の変換テーブル６０に基づいて、レベル検出部１５の出力電圧値を増幅部の出力電力値に変換することが出来る。
【００５４】
図５は各増幅部１７、１８、１９の出力電力値とレベル検出部１５の出力電圧値との関係を示す。図５のＡは各増幅部１７、１８、１９から出力される電力値とレベル検出部１５から出力される出力電圧の値との関係を示すグラフである。図５のＢは図５のＡのグラフから選択した数点をテーブル表記した変換テーブル６０である。
【００５５】
図５のＡの横軸は、選択した通信方式における、増幅部の出力電力値を示す。図５のＡの縦軸は、各通信方式における出力電力値をレベル検出部１５により検出した場合の、レベル検出部１５の出力電圧値である。図５のＡにおいて、各増幅部１７、１８、１９の出力電力値とレベル検出部１５の出力電圧値との関係は、選択した通信方式に関わらずほぼ一致している。
【００５６】
仮に調整部１６の回路パラメータを通信方式に関わらず固定すると、レベル検出部１５の入力インピーダンスが周波数依存性を有するため、レベル検出部１５の出力電圧値と各増幅部における出力電力値との関係は、通信方式ごとに異なる特性となる。
【００５７】
これに対し本実施例では、各増幅部１７、１８、１９における出力電力値とレベル検出部１５の出力電圧値との関係が図５のＡの通りほぼ一致するように、通信方式に応じてレベル検出部１５の入力インピーダンスを調整する。
【００５８】
図５のＢの変換テーブル６０は記憶部１１に記憶されている。変換テーブル６０は列６１、６２を有する。列６１は図５のＡのグラフから選択した各通信方式での出力電力値を示す。列６２は選択した通信方式における増幅部の出力電力値に対する、レベル検出部１５の出力電圧値を示す。図５のＢの変換テーブル６０において、行６３〜行６７は増幅部の出力電力値と、各出力電力値に対応するレベル検出部１５の出力電圧値を示す。
【００５９】
電力制御部１０Ｂはレベル検出部１５の出力電圧値に基づいて、変換テーブル６０を参照する。電力制御部１０Ｂはレベル検出部１５の出力電圧値を増幅部の出力電力値に変換する。レベル検出部１５の出力電圧値が変換テーブル６０に存在しない場合であっても、電力制御部１０Ｂは変換テーブル６０に基づく補間演算により、レベル検出部１５の出力電圧値を増幅部の出力電力値に変換することが出来る。変換テーブル６０の出力電力ステップ間隔が小さいほど、補間演算の発生率を下げることが出来る。
【００６０】
図６は試験装置８５による送信装置１の出荷試験処理フロー図である。図６のＡは１つ目の通信方式の選択時における、送信装置１の出荷試験処理フロー図である。図６のＢは２つ目以降の通信方式の選択時における、送信装置１の出荷試験処理フロー図である。図６の処理は試験プログラム９７として試験装置８５の記憶部９２に記憶されている。試験装置８５は試験プログラム９７を実行することにより、図６の出荷試験処理を実現する。
【００６１】
図６のＡにおいて試験装置８５は、送信装置１の演算部８８に対し１つ目の通信方式および出力電力値を設定する試験信号を出力する（Ｓ１０）。試験信号が入力された演算部８８は、試験信号により設定された通信方式に応じて、ＰＡ制御部１０Ａに対しＰＡ設定信号および選択信号を出力すると共に、電力制御部１０Ｂに対し電力設定信号を出力する。電源制御部１０Ｂは記憶部１１からパラメータテーブル５０の設定値を読み出し、ＰＡ制御部１０Ａへ出力する。ＰＡ制御部１０Ａは入力された設定値を制御信号としてレベル検出部１５へ出力し、レベル検出部１５の入力インピーダンスを設定する（Ｓ１１）。
【００６２】
電源制御部１０Ｂは入力された電源設定信号に基づいて出力電力値を設定する（Ｓ１２）。電源制御部１０Ｂはレベル検出部１５の出力電圧値および出力電力の設定値に基づいて制御信号を出力し、増幅部１７，１８，１９の出力電力値を制御する（Ｓ１３）。
【００６３】
増幅部１７，１８，１９の出力電力は方向性結合部２０，２１，２２、フィルタ４，５，６を経由してスイッチ７から出力される。テスタ８６はスイッチ７から出力される電力値を測定する（Ｓ１４）。テスタ８６は電力測定結果を試験装置８５へ出力する。
【００６４】
試験装置８５は送信装置１に設定した出力電力値とテスタ８６から出力された電力値とを比較する。設定した出力電力値とテスタ８６から出力された電力値に差がある場合、試験装置８５はメモリ９１に記憶する変換テーブル９６の値を補正する（Ｓ１５）。
【００６５】
試験装置８５は１つ目に選択した通信方式において、複数の電力値についてステップ１２からステップＳ１５までの処理を繰り返す（Ｓ１６：ＮＯ）。あらかじめ定めた全ての電力設定値について試験が完了した場合（Ｓ１６：ＹＥＳ）、複数の電力設定値について変換テーブル９６を補正後、試験装置８５は、補正した変換テーブル９６のデータをＩＦ８７へ出力する。演算部８８は、ＩＦ８７を介して受け取った変換テーブル９６のデータをメモリ８９へ書き込む。（Ｓ１７）。
【００６６】
以上の通り試験装置８５は、送信装置１の変換テーブルを補正することが出来る。
【００６７】
図６のＢにおいて試験装置８５は、送信装置１の演算部８８に対し２つ目の通信方式および出力電力値を設定する試験信号を出力する（Ｓ２０）。試験信号が入力された演算部８８は、設定された通信方式に応じて、ＰＡ制御部１０Ａに対しＰＡ設定信号および選択信号を出力すると共に、電力制御部１０Ｂに対し電力設定信号を出力する。電源制御部１０Ｂは記憶部１１からパラメータテーブル５０の設定値を読み出し、ＰＡ制御部１０Ａへ出力する。ＰＡ制御部１０Ａは入力された設定値をレベル検出部１５へ出力し、レベル検出部１５の入力インピーダンスを調整する（Ｓ２１）。
【００６８】
電源制御部１０Ｂは入力された電源設定信号に基づいて出力電力値を設定する（Ｓ２２）。電源制御部１０Ｂはレベル検出部１５の出力電圧値および出力電力の設定値に基づいて制御信号を出力し、増幅部１７，１８，１９の出力電力値を制御する（Ｓ２３）。
【００６９】
増幅部１７，１８，１９の出力電力は方向性結合部２０，２１，２２、フィルタ４，５，６を経由してスイッチ７から出力される。テスタ８６はスイッチ７から出力される電力値を測定する（Ｓ２４）。テスタ８６は電力測定結果を試験装置８５へ出力する。
【００７０】
試験装置８５は送信装置１に設定した出力電力値とテスタ８６から入力された電力値との誤差をあらかじめ設定した誤差の許容値と比較する（Ｓ２５）。試験装置８５は誤差が許容値以下の場合（Ｓ２５：ＹＥＳ）、入力インピーダンスの設定値を試験装置８５のパラメータテーブル９８に書き込む（Ｓ２６）。
【００７１】
試験装置８５は誤差が許容値よりも大きい場合（Ｓ２５：ＮＯ）、ＶＧＡの強度変更により出力電力を調整し（Ｓ２３）、再度出力電力を測定する（Ｓ２４）。誤差が許容値以下になるまで、ステップＳ２３、Ｓ２４の処理を繰り返す。修正後、誤差が許容値以下となった場合（Ｓ２５：ＹＥＳ）、試験装置８５はＶＧＡの設定値を試験装置８５のパラメータテーブル９８に書き込む（Ｓ２６）。
【００７２】
３つ目以降の通信方式においても、２つ目の通信方式の場合と同様の試験を行う。すべての通信方式においてＶＧＡの調整処理が終了すると、試験装置８５は、補正したパラメータテーブル９８のデータをＩＦ８７へ出力する。演算部８８は、ＩＦ８７を介して受け取ったパラメータテーブル９８のデータをメモリ８９へ書き込む。
【００７３】
演算部８８は、メモリ８９に書き込まれた変換テーブル９６およびパラメータテーブル９８を記憶部１１に格納された変換テーブル６０およびパラメータテーブル５０に上書きする。
【００７４】
以上の通り試験装置８５は、レベル検出部１５の入力インピーダンスを通信方式に応じて調整することにより、２つ目以降の通信方式における出力電力の試験を１つ目の通信方式における試験に比べて簡略化することが出来る。よって試験装置８５は、送信装置１において切り替え可能な通信方式が増加した場合であっても、送信装置の調整処理の簡略化が可能となる。
【００７５】
図７は試験装置８５のブロック図である。試験装置８５はＣＰＵ（Ｃｅｎｔｒａｌ  Ｐｒｏｃｅｓｓｉｎｇ  Ｕｎｉｔ）９３、記憶部９２、メモリ９１、入力部９４、出力部９５を有する。記憶部９２は試験プログラム９７を記憶する。メモリ９１は変換テーブル９６を記憶する。
【００７６】
試験プログラム９７は送信装置１の出荷試験を処理するためのプログラムである。ＣＰＵ９３は記憶部９２に記憶された試験プログラム９７を実行することにより、送信装置１の出荷試験処理を行う。変換テーブル９６は出荷試験処理の結果に基づいて補正される、レベル検出部１５の出力電圧値と増幅部１７，１８，１９の出力電力値との変換テーブルである。ＣＰＵ９３は１つ目に選択した通信方式における試験完了後、変換テーブル９６を送信装置１のメモリ８９に書き込む。
【００７７】
入力部９４はＣＰＵ９３に命令コードを出力するためのデバイスである。入力部９４は例えばキーボードやマウスである。また入力部９４はテスタ８６による測定結果を試験装置８５へ入力するインターフェースである。出力部９５はＣＰＵ９３の処理結果を試験装置８５の外部へ出力するためのデバイスである。出力部９５は例えばモニタやプリンタである。また出力部９５は出荷試験の設定値やメモリ９１に記憶している情報などを送信装置１へ出力する場合のインターフェースである。
【００７８】
以上の通り試験装置８５は試験プログラム９７を実行することにより、送信装置１の出荷試験を処理することが出来る。
【符号の説明】
【００７９】
１  送信装置
２  ＲＦ処理部
３  ＰＡモジュール
４、５、６  フィルタ
７  スイッチ
８  アンテナ
１０  制御部
１０Ａ  ＰＡ制御部
１０Ｂ  電力制御部
１１  記憶部
１２、１３、１４  ＶＧＡ
１５  レベル検出部
１６  調整部
１７、１８、１９  増幅部
２０、２１、２２  方向性結合部
２３  検出部
Ｃ２、Ｃ３  可変コンデンサ
３０  ダイオード
３１  ＬＰＦ
４１  ＩＦ
５０  パラメータテーブル
６０  変換テーブル
８０  ＭＵＸ
８１  デジタルアンプ
８２  ＤＡＣ
８３  周波数コンバータ
８４  スイッチ
８５  試験装置
８６  テスタ
８７  ＩＦ
８８  演算部
８９  メモリ
９０  ＢＢ処理部
９１  メモリ
９２  記憶部
９３  ＣＰＵ
９４  入力部
９５  出力部
９６  変換テーブル
９７  試験プログラム
９８  パラメータテーブル
【図１】
0005664385.tif 000002
【図２】
0005664385.tif 000003
【図３】
0005664385.tif 000004
【図４】
0005664385.tif 000005
【図５】
0005664385.tif 000006
【図６】
0005664385.tif 000007
【図７】
0005664385.tif 000008